(57)【要約】【課題】所定サイズより大きい画像は第１のサーバに蓄積しつつ、所定サイズより小さい画像を生成して、第２のサーバに画像を送信することで、レスポンスを向上させると共に、審査時にオリジナル画像の参照が必要な場合には、縮小画像に対応するオリジナル画像を取得することができる仕組みを提供すること。【解決手段】データセンター等のデータストレージサーバが、オリジナル画像と申請情報を、修理工場ＰＣから受信し、受信した前記オリジナル画像が所定のサイズより大きいか否かを判定し、所定のサイズより大きいと判定される場合には、損害保険ＰＣで審査するために用いる縮小画像を前記オリジナル画像から生成し、所定サイズより小さいオリジナル画像又は縮小画像と、前記申請情報を画像サーバに送信する。損害保険ＰＣでは、受信した縮小画像を表示する際には、オリジナル画像を画像サーバから取得可能に構成する。【選択図】図３
2013109412.tif 000002
【特許請求の範囲】
【請求項１】
画像と申請情報を登録する第１の情報処理装置と、登録された画像と申請情報を蓄積する外部の第１のサーバと、前記第１のサーバから外部のネットワークを介して受信した画像と申請情報を蓄積する第２のサーバと、当該第２のサーバに蓄積されている画像と申請情報を用いて審査するための第２の情報処理装置を含む画像管理システムであって、
前記第１の情報処理装置は、
オリジナル画像と申請情報を入力する申請情報入力手段と、
前記申請情報入力手段で入力されたオリジナル画像と申請情報を、前記第１のサーバに送信する第１の送信手段とを備え、
前記第１のサーバは、
前記オリジナル画像と前記申請情報を、前記第１の情報処理装置から受信する第１の受信手段と、
前記第１の受信手段で受信した前記オリジナル画像が所定のサイズより大きいか否かを判定するサイズ判定手段と、
前記サイズ判定手段で所定のサイズより大きいと判定される場合には、前記第２の情報処理装置で審査するために用いる縮小画像を前記オリジナル画像から生成する生成手段と、
前記所定サイズより小さいオリジナル画像又は前記縮小画像と、前記申請情報を前記第２のサーバに送信する第２の送信手段とを備え、
前記第２のサーバは、
前記所定サイズより小さいオリジナル画像又は縮小画像と、前記申請情報を受信する第２の受信手段と、
前記所定サイズより小さいオリジナル画像又は縮小画像と、前記申請情報を前記第２の情報処理装置に送信する第３の送信手段と、
前記第２の情報処理装置からの前記縮小画像に対応するオリジナル画像の取得要求に従って、前記第１のサーバから前記縮小画像に対応するオリジナル画像を取得するオリジナル画像取得手段と、
前記第２の情報処理装置で表示するべく、前記オリジナル画像取得手段で取得したオリジナル画像を前記第２の情報処理装置に送信する第４の送信手段とを備え、
前記第２の情報処理装置は、
前記第２のサーバから前記所定サイズより小さいオリジナル画像又は縮小画像と、前記申請情報を受信する第３の受信手段と、
前記第３の受信手段で受信した前記所定サイズより小さいオリジナル画像又は縮小画像と、前記申請情報を用いて申請情報を審査するべく、前記所定サイズより小さいオリジナル画像又は縮小画像を表示する表示手段と、
前記表示手段で表示した画像が縮小画像である場合に、ユーザの指示に従って、前記第１のサーバから、ユーザの指示のあった前記縮小画像に対応するオリジナル画像を前記表示手段で表示するべく、オリジナル画像の取得要求を送信する取得要求送信手段と
を備えることを特徴とする画像管理システム。
【請求項２】
前記第１のサーバは、
前記第１の受信手段で受信した、前記オリジナル画像と前記申請情報を記憶する第１の記憶手段と、
前記第２の送信手段で、前記縮小画像と前記申請情報を前記第２のサーバに送信する場合には、前記第１の記憶手段で記憶した前記オリジナル画像と前記申請情報を削除することなく、前記第２の送信手段で、所定サイズより小さいオリジナル画像と前記申請情報を前記第２のサーバに送信する場合に、前記所定サイズより小さいオリジナル画像と前記申請情報を前記第１の記憶手段から削除する削除手段と
を更に備えることを特徴とする請求項１に記載の画像管理システム。
【請求項３】
前記第２の送信手段は、送信する画像が、オリジナル画像か縮小画像かを識別するための識別情報を送信し、
前記第２の受信手段は、前記識別情報と共に、前記所定サイズより小さいオリジナル画像又は縮小画像と、前記申請情報を受信し、
前記表示手段は、前記識別情報に従って、オリジナル画像か縮小画像かを識別可能にした前記所定サイズより小さいオリジナル画像又は縮小画像を表示することを特徴とする請求項１又は２に記載の画像管理システム。
【請求項４】
前記表示手段は、前記オリジナル画像である画像を表示する場合に、オリジナル画像の取得要求をしないようにし、前記縮小画像である画像を表示する場合に、当該縮小画像に対応するオリジナル画像の取得要求を送信するためのオリジナル画像送信依頼ボタンを表示することを特徴とする請求項３に記載の画像管理システム。
【請求項５】
前記取得要求送信手段は、前記オリジナル画像送信依頼ボタンの押下に応じて、オリジナル画像の取得要求を送信することを特徴とする請求項４に記載の画像管理システム。
【請求項６】
画像と申請情報を登録する第１の情報処理装置と、登録された画像と申請情報を蓄積する外部の第１のサーバと、前記第１のサーバから外部のネットワークを介して受信した画像と申請情報を蓄積する第２のサーバと、当該第２のサーバに蓄積されている画像と申請情報を用いて審査するための第２の情報処理装置を含む画像管理システムの処理方法であって、
前記第１の情報処理装置が、
オリジナル画像と申請情報を入力する申請情報入力ステップと、
前記申請情報入力ステップで入力されたオリジナル画像と申請情報を、前記第１のサーバに送信する第１の送信ステップと実行し、
前記第１のサーバが、
前記オリジナル画像と前記申請情報を、前記第１の情報処理装置から受信する第１の受信ステップと、
前記第１の受信ステップで受信した前記オリジナル画像が所定のサイズより大きいか否かを判定するサイズ判定ステップと、
前記サイズ判定ステップで所定のサイズより大きいと判定される場合には、前記第２の情報処理装置で審査するために用いる縮小画像を前記オリジナル画像から生成する生成ステップと、
前記所定サイズより小さいオリジナル画像又は前記縮小画像と、前記申請情報を前記第２のサーバに送信する第２の送信ステップとを実行し、
前記第２のサーバが、
前記所定サイズより小さいオリジナル画像又は縮小画像と、前記申請情報を受信する第２の受信ステップと、
前記所定サイズより小さいオリジナル画像又は縮小画像と、前記申請情報を前記第２の情報処理装置に送信する第３の送信ステップと、
前記第２の情報処理装置からの前記縮小画像に対応するオリジナル画像の取得要求に従って、前記第１のサーバから前記縮小画像に対応するオリジナル画像を取得するオリジナル画像取得ステップと、
前記第２の情報処理装置で表示するべく、前記オリジナル画像取得ステップで取得したオリジナル画像を前記第２の情報処理装置に送信する第４の送信ステップとを実行し、
前記第２の情報処理装置が、
前記第２のサーバから前記所定サイズより小さいオリジナル画像又は縮小画像と、前記申請情報を受信する第３の受信ステップと、
前記第３の受信ステップで受信した前記所定サイズより小さいオリジナル画像又は縮小画像と、前記申請情報を用いて申請情報を審査するべく、前記所定サイズより小さいオリジナル画像又は縮小画像を表示する表示ステップと、
前記表示ステップで表示した画像が縮小画像である場合に、ユーザの指示に従って、前記第１のサーバから、ユーザの指示のあった前記縮小画像に対応するオリジナル画像を前記表示ステップで表示するべく、オリジナル画像の取得要求を送信する取得要求送信ステップと
を実行することを特徴とする処理方法。
【請求項７】
画像と申請情報を登録する第１の情報処理装置と、登録された画像と申請情報を蓄積する外部の第１のサーバと、前記第１のサーバから外部のネットワークを介して受信した画像と申請情報を蓄積する第２のサーバと、当該第２のサーバに蓄積されている画像と申請情報を用いて審査するための第２の情報処理装置を含む画像管理システムで実行可能なプログラムあって、
前記第１の情報処理装置を、
オリジナル画像と申請情報を入力する申請情報入力手段と、
前記申請情報入力手段で入力されたオリジナル画像と申請情報を、前記第１のサーバに送信する第１の送信手段として機能させ、
前記第１のサーバを、
前記オリジナル画像と前記申請情報を、前記第１の情報処理装置から受信する第１の受信手段と、
前記第１の受信手段で受信した前記オリジナル画像が所定のサイズより大きいか否かを判定するサイズ判定手段と、
前記サイズ判定手段で所定のサイズより大きいと判定される場合には、前記第２の情報処理装置で審査するために用いる縮小画像を前記オリジナル画像から生成する生成手段と、
前記所定サイズより小さいオリジナル画像又は前記縮小画像と、前記申請情報を前記第２のサーバに送信する第２の送信手段として機能させ、
前記第２のサーバを、
前記所定サイズより小さいオリジナル画像又は縮小画像と、前記申請情報を受信する第２の受信手段と、
前記所定サイズより小さいオリジナル画像又は縮小画像と、前記申請情報を前記第２の情報処理装置に送信する第３の送信手段と、
前記第２の情報処理装置からの前記縮小画像に対応するオリジナル画像の取得要求に従って、前記第１のサーバから前記縮小画像に対応するオリジナル画像を取得するオリジナル画像取得手段と、
前記第２の情報処理装置で表示するべく、前記オリジナル画像取得手段で取得したオリジナル画像を前記第２の情報処理装置に送信する第４の送信手段として機能させ、
前記第２の情報処理装置を、
前記第２のサーバから前記所定サイズより小さいオリジナル画像又は縮小画像と、前記申請情報を受信する第３の受信手段と、
前記第３の受信手段で受信した前記所定サイズより小さいオリジナル画像又は縮小画像と、前記申請情報を用いて申請情報を審査するべく、前記所定サイズより小さいオリジナル画像又は縮小画像を表示する表示手段と、
前記表示手段で表示した画像が縮小画像である場合に、ユーザの指示に従って、前記第１のサーバから、ユーザの指示のあった前記縮小画像に対応するオリジナル画像を前記表示手段で表示するべく、オリジナル画像の取得要求を送信する取得要求送信手段
として機能させることを特徴とするプログラム。
【発明の詳細な説明】
【技術分野】
【０００１】
画像を管理する画像管理システムとその処理方法及びプログラムに関する。
【背景技術】
【０００２】
従来から、車などの修理工場でデジタルカメラ等により撮影された事故車画像データを、ネットワークを介して損害保険会社に送信し、損害保険会社側で事故車画像データや見積もりデータを確認して、修理方法や金額を決定するシステムが存在する（例えば、特許文献１）。
【０００３】
このシステムでは、損害保険会社側が所有しているシステムの記憶領域に事故車画像データを格納している。
【先行技術文献】
【特許文献】
【０００４】
【特許文献１】特開２０１０−１５７２６７号公報
【発明の概要】
【発明が解決しようとする課題】
【０００５】
しかしながら、近年では画像のサイズが大きくなり、損害保険会社側の記憶領域の容量を圧迫していることから、画像をデータセンター等の外部に格納したいという要望がある。
【０００６】
また、損害保険会社側の記憶領域の容量を圧迫するなどの理由により、修理工場側は損害保険会社側から画像サイズを制限されることがあり、事故車の画像を小さいサイズで撮影し直すなどの手間がかかっている。
【０００７】
全ての画像をデータセンター等の外部に出した場合に、損害保険会社側で画像を参照する際、都度データセンターへの要求が必要となるためレスポンスが非常に悪くなる。
【０００８】
特に、修理工場側から外部ネットワークを介してデータセンターへ画像を送信し、且つ、データセンターから外部ネットワークを介して画像を損害保険会社のサーバへ送信する場合に、外部ネットワーク上を大量のデータが送信されるため、システム全体のレスポンスが悪くなるという問題があった。
【０００９】
また、修理工場から損害保険会社側に画像を送信する際に縮小した画像を送信する仕組みも考えられるが、損害保険会社側では事故車を詳細に確認するために、オリジナル画像を参照する場合があるため、オリジナル画像を保管する必要があった。
【００１０】
更に、データセンターを用いる場合には、データセンターは外部のベンダーのデータセンターを利用することがあり、この場合にはデータを記憶する量に応じて課金がされ、様々なデータを格納しておくことでコスト増につながるという問題もあった。
【００１１】
そこで、本発明は、所定サイズよりオリジナル画像は第１のサーバに蓄積しつつ、オリジナル画像から所定サイズより小さい縮小画像を生成して、第２のサーバに画像を送信することで、レスポンスを向上させると共に、審査時にオリジナル画像の参照が必要な場合には、縮小画像に対応するオリジナル画像を取得することができる仕組みを提供することを目的とする。
【００１２】
また、所定サイズより大きい画像（オリジナル画像）を取得した場合には、第１のサーバから削除することで、データの増大を防ぐことができる仕組みを提供することを目的とする。
【課題を解決するための手段】
【００１３】
本発明の目的を達成するために、画像と申請情報を登録する第１の情報処理装置と、登録された画像と申請情報を蓄積する外部の第１のサーバと、前記第１のサーバから外部のネットワークを介して受信した画像と申請情報を蓄積する第２のサーバと、当該第２のサーバに蓄積されている画像と申請情報を用いて審査するための第２の情報処理装置を含む画像管理システムであって、前記第１の情報処理装置は、オリジナル画像と申請情報を入力する申請情報入力手段と、前記申請情報入力手段で入力されたオリジナル画像と申請情報を、前記第１のサーバに送信する第１の送信手段とを備え、前記第１のサーバは、前記オリジナル画像と前記申請情報を、前記第１の情報処理装置から受信する第１の受信手段と、前記第１の受信手段で受信した前記オリジナル画像が所定のサイズより大きいか否かを判定するサイズ判定手段と、前記サイズ判定手段で所定のサイズより大きいと判定される場合には、前記第２の情報処理装置で審査するために用いる縮小画像を前記オリジナル画像から生成する生成手段と、前記所定サイズより小さいオリジナル画像又は前記縮小画像と、前記申請情報を前記第２のサーバに送信する第２の送信手段とを備え、前記第２のサーバは、前記所定サイズより小さいオリジナル画像又は縮小画像と、前記申請情報を受信する第２の受信手段と、前記所定サイズより小さいオリジナル画像又は縮小画像と、前記申請情報を前記第２の情報処理装置に送信する第３の送信手段と、前記第２の情報処理装置からの前記縮小画像に対応するオリジナル画像の取得要求に従って、前記第１のサーバから前記縮小画像に対応するオリジナル画像を取得するオリジナル画像取得手段と、前記第２の情報処理装置で表示するべく、前記オリジナル画像取得手段で取得したオリジナル画像を前記第２の情報処理装置に送信する第４の送信手段とを備え、前記第２の情報処理装置は、前記第２のサーバから前記所定サイズより小さいオリジナル画像又は縮小画像と、前記申請情報を受信する第３の受信手段と、前記第３の受信手段で受信した前記所定サイズより小さいオリジナル画像又は縮小画像と、前記申請情報を用いて申請情報を審査するべく、前記所定サイズより小さいオリジナル画像又は縮小画像を表示する表示手段と、前記表示手段で表示した画像が縮小画像である場合に、ユーザの指示に従って、前記第１のサーバから、ユーザの指示のあった前記縮小画像に対応するオリジナル画像を前記表示手段で表示するべく、オリジナル画像の取得要求を送信する取得要求送信手段とを備えることを特徴とする。
【発明の効果】
【００１４】
本発明によれば、所定サイズよりオリジナル画像は第１のサーバに蓄積しつつ、オリジナル画像から所定サイズより小さい縮小画像を生成して、第２のサーバに画像を送信することで、レスポンスを向上させると共に、審査時にオリジナル画像の参照が必要な場合には、縮小画像に対応するオリジナル画像を取得することができる。
【００１５】
また、所定サイズより大きい画像（オリジナル画像）を取得した場合には、第１のサーバから削除することで、データの増大を防ぐことができる。
【図面の簡単な説明】
【００１６】
【図１】画像管理システムの構成の一例を示すシステム構成図
【図２】画像サーバ１００、損害保険ＰＣ１０２、データストレージサーバ１０５、修理工場ＰＣ１０７に適用可能な情報処理装置のハードウェア構成
【図３】画像管理システムの各装置の機能ブロック図
【図４】画像管理システムにおける画像伝送依頼処理のフローチャート
【図５】損害保険ＰＣの事故データ参照画面または画像表示画面からの画像再送依頼処理のフローチャート
【図６】データセンターのデータストレージサーバの画像再送処理および修理工場への画像伝送依頼処理のフローチャート
【図７】修理工場ＰＣの事故データ送信処理、データストレージサーバの画像縮小処理のフローチャート
【図８】画像サーバの画像伝送依頼または画像再送依頼した事故データ登録処理のフローチャート
【図９】損害保険ＰＣでの事故データ参照処理および画像参照処理のフローチャート
【図１０】データストレージサーバに格納されている画像情報削除処理のフローチャート
【図１１】画像管理システムの縮小画像送信処理の全体を示すフローチャート
【図１２】データストレージサーバのオリジナル画像情報のテーブルのイメージ図
【図１３】データストレージサーバの画像伝送依頼情報のテーブルのイメージ図
【図１４】データストレージサーバの指定縮小サイズ情報のテーブルのイメージ図
【図１５】データストレージサーバの損害保険情報のテーブルのイメージ図
【図１６】データストレージサーバの工場情報のテーブルのイメージ図
【図１７】データストレージサーバの文書情報のテーブルのイメージ図
【図１８】損害保険ＰＣの画像伝送依頼画面例
【図１９】損害保険ＰＣの事故データ参照画面例
【図２０】損害保険ＰＣのオリジナル画像を表示した際の画像表示画面例
【図２１】損害保険ＰＣの画像伝送依頼画面例
【図２２】修理工場ＰＣの事故データ表示画面例
【図２３】損害保険ＰＣのオリジナル画像を表示した際の画像表示画面例
【図２４】損害保険ＰＣの縮小画像を表示した際の画像表示画面例
【図２５】修理工場ＰＣの送信前の事故データ表示画面例
【図２６】修理工場ＰＣの送信後の事故データ表示画面例
【図２７】事故データ取得処理から事故データ送信処理のフローチャート
【発明を実施するための形態】
【００１７】
以下、図面を参照して、本発明の実施形態を詳細に説明する。
【００１８】
図１は、画像管理システムの構成の一例を示すシステム構成図である。
【００１９】
図１に示されるように、画像を含めた事故データ送信機能を備える修理工場ＰＣ１０７（第１の情報処理装置）、オリジナル画像を格納するためのデータベース１０６を備えるデータストレージサーバ１０５（第１のサーバ）、画像を含む事故データを格納するためのデータベース１０１を備える画像サーバ１００（第２のサーバ）がネットワークを介して接続される。データストレージサーバ１０５と画像サーバ１００が外部ネットワーク１０３を介して接続される
【００２０】
損害保険ＰＣ１０２（第２の情報処理装置）は、ローカルエリアネットワーク（ＬＡＮ）１０３を介して画像サーバ１００と接続可能である。損害保険ＰＣ１０２は、事故データおよび画像参照機能を備える。
【００２１】
データストレージサーバ１０５は、修理工場ＰＣ１０７から受け付けた事故データの画像を縮小する機能を備える。
【００２２】
以下、図２を用いて、図１に示した画像サーバ１００、損害保険ＰＣ１０２、データストレージサーバ１０５、修理工場ＰＣ１０７に適用可能な情報処理装置のハードウェア構成について説明する。
【００２３】
図２は、図１に示した画像サーバ１００、損害保険ＰＣ１０２、データストレージサーバ１０５、修理工場ＰＣ１０７に適用可能な情報処理装置のハードウェア構成を示すブロック図である。
【００２４】
図２において、２０１はＣＰＵで、システムバス２０４に接続される各デバイスやコントローラを統括的に制御する。また、ＲＯＭ２０２あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００２５】
２０３はＲＡＭで、ＣＰＵ２０１の主メモリ、ワークエリア等として機能する。ＣＰＵ２０１は、処理の実行に際して必要なプログラム等をＲＯＭ２０２あるいは外部メモリ２１１からＲＡＭ２０３にロードして、該ロードしたプログラムを実行することで各種動作を実現するものである。
【００２６】
また、２０５は入力コントローラで、キーボード（ＫＢ）２０９や不図示のマウス等のポインティングデバイス等からの入力を制御する。２０６はビデオコントローラで、ＣＲＴディスプレイ（ＣＲＴ）２１０等の表示器への表示を制御する。なお、図２では、ＣＲＴ２１０と記載しているが、表示器はＣＲＴだけでなく、液晶ディスプレイ等の他の表示器であってもよい（以下、ディスプレイ２１０）。
【００２７】
２０７はメモリコントローラで、ブートプログラム，各種のアプリケーション，フォントデータ，ユーザファイル，編集ファイル，各種データ等を記憶する外部記憶装置（ハードディスク（ＨＤ））や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００２８】
２０８は通信Ｉ／Ｆコントローラで、ネットワーク（例えば、図１に示した外部ネットワーク１０４やローカルエリアネットワーク１０３）を介して外部機器と接続・通信するものであり、ネットワークでの通信制御処理を実行する。例えば、ＴＣＰ／ＩＰを用いた通信等が可能である。
【００２９】
なお、ＣＰＵ２０１は、例えばＲＡＭ２０３内の表示情報用領域へアウトラインフォントの展開（ラスタライズ）処理を実行することにより、ＣＲＴ２１０上での表示を可能としている。また、ＣＰＵ２０１は、ＣＲＴ２１０上の不図示のマウスカーソル等でのユーザ指示を可能とする。
【００３０】
本発明を実現するための後述する各種プログラムは、外部メモリ２１１に記録されており、必要に応じてＲＡＭ２０３にロードされることによりＣＰＵ２０１によって実行されるものである。さらに、上記プログラムの実行時に用いられる定義ファイル及び各種情報テーブル等も、外部メモリ２１１に格納されており、これらについての詳細な説明も後述する。
【００３１】
次に図３を用いて、本実施形態における画像管理システムの各装置の機能ブロック図について説明する。
【００３２】
なお、図３においては、本実施形態における基本的な機能について説明し、機能が実行する詳細な処理については、図４以降のフローチャートにて説明する。また、ここで説明する機能は、各装置のＣＰＵ２０１が実行するものとする。
【００３３】
まず、画像と申請情報を登録する第１の情報処理装置と、登録された画像と申請情報を蓄積する外部の第１のサーバと、前記第１のサーバから外部のネットワークを介して受信した画像と申請情報を蓄積する第２のサーバと、当該第２のサーバに蓄積されている画像と申請情報を用いて審査するための第２の情報処理装置を含む画像管理システムにおける各装置の機能について以下に説明する。
【００３４】
前記第１の情報処理装置の申請情報入力部３０１は、オリジナル画像と申請情報を入力する。
【００３５】
また、第１の送信部３０２は、申請情報入力部で入力されたオリジナル画像と申請情報を、前記第１のサーバに送信する。
【００３６】
前記第１のサーバの第１の受信部３０３は、前記オリジナル画像と前記申請情報を、前記第１の情報処理装置から受信する。
【００３７】
サイズ判定部３０４は、第１の受信部で受信した前記オリジナル画像が所定のサイズより大きいか否かを判定する。
【００３８】
生成部３０５は、サイズ判定部で所定のサイズより大きいと判定される場合には、前記第２の情報処理装置で審査するために用いる縮小画像を前記オリジナル画像から生成する。
【００３９】
第２の送信部３０６は、前記所定サイズより小さいオリジナル画像又は前記縮小画像と、前記申請情報を前記第２のサーバに送信する。
【００４０】
前記第２のサーバの第２の受信部３０７は、前記所定サイズより小さいオリジナル画像又は縮小画像と、前記申請情報を受信する。
【００４１】
第３の送信部３０８は、前記所定サイズより小さいオリジナル画像又は縮小画像と、前記申請情報を前記第２の情報処理装置に送信する。
【００４２】
オリジナル画像取得部３０９は、前記第２の情報処理装置からの前記縮小画像に対応するオリジナル画像の取得要求に従って、前記第１のサーバから前記縮小画像に対応するオリジナル画像を取得する。
【００４３】
第４の送信部３１０は、前記第２の情報処理装置で表示するべく、前記オリジナル画像取得部で取得したオリジナル画像を前記第２の情報処理装置に送信する。
【００４４】
前記第２の情報処理装置の第３の受信部３１１は、前記第２のサーバから前記所定サイズより小さいオリジナル画像又は縮小画像と、前記申請情報を受信する。
【００４５】
表示部３１２は、前記第３の受信部で受信した前記所定サイズより小さいオリジナル画像又は縮小画像と、前記申請情報を用いて申請情報を審査するべく、前記所定サイズより小さいオリジナル画像又は縮小画像を表示する。
【００４６】
取得要求送信部３１３は、前記表示部で表示した画像が縮小画像である場合に、ユーザの指示に従って、前記第１のサーバから、ユーザの指示のあった前記縮小画像に対応するオリジナル画像を前記表示部で表示するべく、オリジナル画像の取得要求を送信する。
【００４７】
以下、本実施形態における画像管理システムの縮小画像送信処理概要について、図１１のフローチャートを用いて説明する。なお、詳細な処理については、図４（ステップＳ１１０１〜ステップＳ１１０２）、図５（ステップＳ１０２１〜ステップＳ１０２４）、図６（ステップＳ１１０３〜ステップＳ１１０４、ステップＳ１１２５〜ステップＳ１１２７）、図７（ステップＳ１１０５〜ステップＳ１１１５）、図８（ステップＳ１１１６〜ステップＳ１１２０、ステップＳ１１２８〜ステップＳ１１３２）、図９（ステップＳ１１３３〜ステップＳ１１３４）で後述する。また、本実施形態で説明する各ステップは、各装置におけるＣＰＵ２０１が処理を実行する。
【００４８】
ステップＳ１１０１では、損害保険ＰＣ１０２が、ユーザ操作により画像伝送依頼の指示を受け取ると、修理工場から事故情報（事故データ）を受け取るための準備として、画像伝送依頼を画像サーバ１００に通知する。
【００４９】
ステップＳ１１０２では、画像サーバ１００は画像伝送依頼の通知を受信すると、データストレージサーバ１０５に画像伝送依頼情報（送信先工場情報、画像伝送依頼情報と事故情報）を送信する。データベース１０６には図１５の損害保険会社情報テーブルが記憶されており、登録されている損害保険会社からの依頼かを確認するものとする。
【００５０】
ステップＳ１１０３では、データストレージサーバ１０５は、画像伝送依頼を受け取ると、データベース１０６に、画像伝送依頼情報の識別番号を付与して画像伝送依頼情報を登録する。なお、画像伝送依頼情報の識別番号を付与は、画像サーバで付与した識別番号であってもよい。その場合、画像伝送依頼情報に含み送信される。ステップＳ１１０４では、修理工場ＰＣ１０７に画像伝送依頼通知メールを送信する。
【００５１】
ステップＳ１１０５では、修理工場ＰＣ１０７は、データストレージサーバ１０５に画像伝送依頼情報取得依頼を送信する。
【００５２】
ステップＳ１１０６では、データストレージサーバ１０５は画像伝送依頼情報取得依頼を受信すると、画像伝送依頼情報の識別情報に従って、データベース１０６から画像伝送依頼情報を取得し、ステップＳ１１０７では、画像伝送依頼情報を修理工場ＰＣ１０７に送信する。
【００５３】
ステップＳ１１０８では、修理工場ＰＣ１０７は画像伝送依頼情報を受け取ると、ステップＳ１１０９では、画像伝送依頼情報を元に事故データを新規作成する（画像、添付ファイル（見積もりデータ）の入力を受け付ける）。
【００５４】
ステップＳ１１１０では、ユーザ操作により事故データに画像、添付ファイル追加後、事故データ送信指示が出されると、修理工場ＰＣ１０７はデータストレージサーバ１０５に事故データを送信する。
【００５５】
ステップＳ１１１１では、データストレージサーバ１０５は事故データを受信すると、事故データ内のオリジナル画像を解析し、ステップＳ１１１２では、データベース１０６に格納されている指定縮小画像サイズ情報（図１４）より大きいサイズの画像をすべて縮小し、ステップＳ１１１３では、画像伝送依頼情報の識別番号をキーにして事故データとしてデータベース１０６に登録する。また、ステップＳ１１１４では、画像伝送依頼情報の識別番号をキーにして、縮小前のオリジナル画像を案件と紐付けてデータベース１０６のオリジナル画像情報（図１２）に格納する。
【００５６】
ステップＳ１１１５では、データストレージサーバ１０５は、全ての画像に対する解析を終了後、データベース１０６に事故データを格納し、画像サーバ１００に画像伝送依頼情報の識別番号を含む事故データ登録通知メールを送信する。
【００５７】
ステップＳ１１１６では、画像サーバ１００は、事故データ登録通知メールを受信すると、データストレージサーバ１０５に対して事故データ（縮小した画像、縮小対象外画像、事故情報等）取得依頼を送信し、ステップＳ１１１７では、データストレージサーバ１０５は、画像伝送依頼情報の識別番号をキーにしてデータベース１０６を検索して事項データを取得する。ステップＳ１１１８では、事故データ（縮小した画像、縮小対象外画像、事故情報等）を画像サーバ１００に送信する。
【００５８】
ステップＳ１１１９では、データストレージサーバ１０５から事故データを受け取り、データベース１０１に事故データを格納する。
【００５９】
ステップＳ１１２０では、画像サーバ１００は、損害保険ＰＣ１０２に事故データ登録完了通知メールを送信する。
【００６０】
続いて以下、本実施形態における画像管理システムのオリジナル画像再送処理の流れを説明する。
【００６１】
ステップＳ１１２１では、登録完了通知に従って、事故データを画像サーバ１００から取得し、事故データを損害保険ＰＣで表示する。この時、事故データを特定する識別番号（例えば、画像伝送依頼情報の識別番号）に従って事故データを取得する。なお識別番号は、事故データを一意に特定できる情報であれば、画像伝送依頼情報の識別番号に限らない。
【００６２】
ステップＳ１１２２では、事故データを表示すると共に、取得した縮小画像を表示する。ここで損害保険側の担当者が、損害保険ＰＣで縮小画像が見積データを確認し、修理方法や金額を決定する。修理方法や金額を決定するに際して、縮小画像では確認が難しく、縮小画像に対応するオリジナル画像で確認が必要となる。そこで、ステップＳ１１２３では、損害保険ＰＣ１０２は、ユーザ操作によりオリジナル画像再送依頼（オリジナル画像送信依頼ボタン）の指示を受け取ると、縮小画像のオリジナル画像再送依頼を画像サーバ１００に通知する。
【００６３】
ステップＳ１１２４では、画像サーバ１００はオリジナル画像再送依頼の通知を受信すると、ステップＳ１１２５では、データストレージサーバ１０５に画像再送依頼（画像情報（オリジナル画像を特定する画像の識別番号など）、事故情報（識別情報など））を送信する。
【００６４】
ステップＳ１１２５では、データストレージサーバ１０５は、画像再送依頼を受け取ると、データベース１０６から該画像情報のオリジナル画像を取得し、ステップＳ１１２６で、データベース１０６に事故データとして格納後、ステップＳ１１２７では、画像サーバ１００に（オリジナル画像の）事故データ登録通知メールを送信する。
【００６５】
ステップＳ１１２８では、画像サーバ１００は、事故データ登録通知メールを受信すると、データストレージサーバ１０５に対して事故データ（オリジナル画像、事故情報等）取得依頼を送信し、ステップＳ１１２９では、データストレージサーバ１０５は事故データをデータベース１０６から事故データを取得し、ステップＳ１１３０では、取得した事故データを画像サーバ１００に送信する。そして、ステップＳ１１３１では、画像サーバ１００は、事故データを受け取ると、データベース１０１の該縮小画像をオリジナル画像で更新する。なお、縮小画像を残しておくことも可能である。
【００６６】
ステップＳ１１３２では、画像サーバ１００は、損害保険ＰＣ１０２にオリジナル画像登録完了通知メールを送信する。
【００６７】
ステップＳ１１３３では、オリジナル画像登録完了通知に従って、事故データを取得して、事故データを表示する。そして、ステップＳ１１３４では、取得したオリジナル画像を表示する。
【００６８】
なお、本実施形態では、装置間の通知をメールにて行うように構成したが、これに限るものではなく、メール以外のメッセージをネットワークを介して送信して通知するようにしてもよい。
【００６９】
以下、図４を参照して、本実施形態の画像管理システムにおける画像伝送依頼処理について説明する。
【００７０】
図４では損害保険ＰＣの画像伝送依頼画面からの画像伝送依頼の処理について説明する。
【００７１】
ステップＳ４００−１では、図２１のディスプレイ２１０に画像伝送依頼画面を表示する。
【００７２】
ステップＳ４００−２では、図２１の依頼ボタンが押下されたか否かを判定する。依頼ボタンが押下された場合にはステップＳ４０１へ処理を移し、依頼ボタンが押下されない場合には、画面への入力のためステップＳ４００−１に処理を移す。
【００７３】
ステップＳ４０１では、画像伝送依頼画面（図２１）にてユーザ操作により入力された送信先工場情報、画像伝送依頼情報、画像縮小有無を取得する。画像伝送依頼情報には事故番号、登録番号等が存在する。
【００７４】
ステップＳ４０２で、ステップＳ４０１で取得した送信先工場情報、画像伝送依頼情報、画像縮小有無を画像サーバに送信する。この情報を画像サーバはステップＳ４０３で受信する。
【００７５】
ステップＳ４０４で画像サーバは、ステップＳ４０３で受信した情報に依頼種別＝新規を付加して、データストレージサーバに送信する。この情報をデータストレージサーバはステップＳ４０５で受信する。
【００７６】
次に、図５では、損害保険ＰＣの事故データ参照画面または画像表示画面からの画像再送依頼の処理について説明する。
【００７７】
ステップＳ５００−１では、図２２の事故データ参照画面もしくは、図２４の縮小画像の画像表示画面をディスプレイ２１０に表示する。
【００７８】
ステップＳ５００−２では、図２２の事故データ参照画面もしくは、図２４の画像表示画面の再送依頼ボタンが押下されたか否かを判定する。再送ブタンが押下された場合には、ステップＳ５０１に処理を移す。再送依頼ボタン（オリジナル画像送信依頼ボタン）が押下されていない場合には、ステップＳ５００−１に処理を移し、ユーザからの操作を受け付けるまで待機する。
【００７９】
ステップＳ５０１では、事故データ参照画面（図２２）または画像表示画面（図２４）にてユーザ操作により選択された画像の画像情報（画像ＩＤ等の画像の識別情報）、送信先工場情報、事故情報を取得する。事故情報には事故番号、登録番号等が存在する。
【００８０】
ステップＳ５０２では、ステップＳ５０１で取得した画像情報（画像ＩＤ、画像識別ＩＤ）、送信先工場情報、事故情報を画像サーバに送信する。この情報を画像サーバはステップＳ５０３で受信する。
【００８１】
ステップＳ５０４では、画像サーバは、ステップＳ５０３で受信した情報に依頼種別＝再送を付加して、データストレージサーバに送信する。この情報をデータストレージサーバはステップＳ５０５で受信する。
【００８２】
次に、図６ではデータセンターのデータストレージサーバの画像再送処理および修理工場への画像伝送依頼処理について説明する。
【００８３】
ステップＳ６０１では、データストレージサーバは、ステップＳ４０５またはステップＳ５０５で受信した依頼種別が新規か再送かを判別する。
【００８４】
依頼種別が再送の場合には、ステップＳ６０２で、ステップＳ５０５で取得した画像情報（画像識別ＩＤ）に合致するオリジナル画像情報（図１２）をデータベースから取得後、ステップＳ６０３でオリジナル画像情報と事故情報、画像情報から事故データを作成し、データベースに文書情報（図１７）として事故データを登録する。ステップＳ６０４で文書情報の文書ＩＤを付加した事故データ登録通知メールを損害保険会社に送信する。このメールを損害保険会社の画像サーバがステップＳ６０５で受信する。
【００８５】
依頼種別が新規の場合には、ステップＳ６０６で画像伝送依頼情報（図１３）をデータベースに登録後、ステップＳ６０７で修理工場ＰＣに画像伝送依頼通知メールを送信する。このメールを修理工場ＰＣが受信する。（不図示）
【００８６】
次に、図７では修理工場ＰＣの事故データ送信処理、データストレージサーバの画像縮小処理について説明する。つまり、ステップＳ６０７で送信された画像伝送依頼通知メールを修理工場ＰＣが受信した後の処理である。
【００８７】
ステップＳ７０１では、修理工場ＰＣはデータストレージサーバに画像伝送依頼情報取得依頼（工場ＩＤ）を送信する。この依頼をデータストレージサーバがステップＳ７０２で受信する。なお、工場ＩＤは、修理工場ＰＣで入力するものとし、なお、工場ＩＤが正しいか否かを確認するための工場情報テーブル（図１６）は、データストレージサーバ、画像サーバに記憶されている。
【００８８】
ステップＳ７０３では、ステップＳ７０２で受信した依頼から工場ＩＤを取得し、工場ＩＤに該当する画像伝送依頼情報（図１３）をデータベースより取得する。
【００８９】
ステップＳ７０４では、データストレージサーバは、ステップＳ７０３で取得した画像伝送依頼情報を修理工場ＰＣに送信する。この情報を修理工場ＰＣがステップＳ７０５で受信する。
【００９０】
ステップＳ７０６では、修理工場ＰＣは、ステップＳ７０５で受信した画像伝送依頼情報を元に事故データを作成し、ステップＳ７０７で事故データ表示画面（図２５）を表示する。
【００９１】
ステップＳ７０８でユーザ操作により送信ボタンが押下された場合には、ステップＳ７０９でユーザ操作により入力された事故データ（事故情報、サムネイル画像群、オリジナル画像群、添付ファイル群）を取得し、ステップＳ７１０で事故データ、工場ＩＤを、外部ネットワーク（インターネット回線や電話回線）を介してデータストレージサーバに送信する。この事故データをデータストレージサーバがステップＳ７１２で受信する。なお、ステップＳ７１０で事故データを送信すると、ステップＳ７１１で、図２６のように、事故データ表示画面の送信画像に送信済マークを表示する。
【００９２】
ステップＳ７１３では、データストレージサーバは、データベースからステップＳ７１２で受信した事故情報（事故番号）、工場ＩＤに合致する画像伝送依頼情報（図１３）を取得する。
【００９３】
ステップＳ７１４でデータストレージサーバは、データベースからステップＳ７１３で取得した画像伝送依頼情報（損害保険ＩＤ）に合致する指定縮小画像サイズ情報（図１４）を取得する。
【００９４】
ステップＳ７１５〜ステップＳ７１７は、ステップＳ７１２で受信したオリジナル画像の数分繰り返し処理を行う。
【００９５】
ステップＳ７１５では、オリジナル画像の画像サイズが、ステップＳ７１４で取得した指定縮小画像サイズより大きいかを判定し、指定縮小画像サイズより大きい場合にはステップＳ７１６でオリジナル画像を指定縮小画像サイズに縮小する。
【００９６】
ステップＳ７１７でオリジナル画像情報（オリジナル画像データ、画像伝送依頼ＩＤ等）をデータベースに登録する。
【００９７】
指定縮小画像サイズ以下の場合には次のオリジナル画像に対するステップＳ７１５〜ステップＳ７１７の処理を行う。
【００９８】
ステップＳ７１８で、事故データ（縮小した画像、縮小対象外のオリジナル画像、サムネイル画像群、事故情報、添付ファイル群）を文書情報（図１７）としてデータベースに登録し、ステップＳ７１９で文書情報の文書ＩＤを付加した事故データ登録通知メールを損害保険会社の画像サーバに送信する。このメールをステップＳ７２０で損害保険会社の画像サーバが受信する。
【００９９】
次に、図８では損害保険会社の画像サーバの画像伝送依頼または画像再送依頼した事故データ登録処理について説明する。つまり、ステップＳ６０５またはステップＳ７２０で事故データ登録通知メールを受信した後の処理である。
【０１００】
ステップＳ８０１では、ステップＳ６０５またはＳ７２０で受信した事故データ登録通知メールに付加されている文書情報の文書ＩＤに従って、損害保険会社の画像サーバからデータストレージサーバに事故データ取得依頼を送信する。この依頼をデータストレージサーバがステップＳ８０２で受信する。
【０１０１】
ステップＳ８０３では、データストレージサーバはステップＳ８０２で受信した事故データ取得依頼の文書ＩＤを元にデータベースから事故データを取得し、ステップＳ８０４で損害保険会社の画像サーバに外部ネットワーク（インターネット回線）を介して事故データを送信する。この事故データを画像サーバがステップＳ８０５で受信する。この事故データには、依頼種別が含まれており、ステップＳ７２０から処理が移行した場合には、新規が付加され、ステップＳ６０５から処理が移行した場合には、再送が付加される。
【０１０２】
ステップＳ８０６では、画像サーバがステップＳ８０５で受信した事故データを解析し、依頼種別が新規か再送かを判別する。
【０１０３】
依頼種別が新規の場合には、ステップＳ８１０でデータベースに事故データを登録し、ステップＳ８１１で損害保険ＰＣに事故データ登録完了通知メールを送信する。このメールを損害保険ＰＣが受信する（不図示）。
【０１０４】
依頼種別が再送の場合には、ステップＳ８０８で、ステップＳ８０５で受信した事故データの画像情報（画像ＩＤ）に合致するデータベースの該当縮小画像をオリジナル画像で更新、縮小有無を「無」に更新し、ステップＳ８０９で損害保険ＰＣにオリジナル画像登録完了通知メールを送信する。このメールを損害保険ＰＣが受信する（不図示）。
【０１０５】
ここで、ステップＳ８０３とステップＳ８０４の処理の詳細について図２７を用いて更に説明する。
【０１０６】
図２７は、事故データ取得処理から事故データ送信処理のフローチャートである。
【０１０７】
まずステップＳ２７０１では、データストレージサーバはステップＳ８０２で受信した事故データ取得依頼の文書ＩＤを元にデータベースから事故データを取得する。
【０１０８】
ステップＳ２７０２では、取得した事故データに縮小画像が含まれるか否かを判定する。縮小画像か否かは、図１９の縮小有無によって判定することが可能である。縮小画像が含まれる場合には、ステップＳ２７０４に処理を移し、縮小画像が含まれない場合にはステップＳ２７０３へ処理を移す。
【０１０９】
ステップＳ２７０３では、縮小画像が含まれない、つまり画像サーバにオリジナル画像も送信することになるため、データストレージサーバのデータベースから、事故データを削除する。
【０１１０】
ステップＳ２７０４では、ステップＳ２７０１で取得した事故画像を画像サーバに送信する。この際、縮小画像かオリジナル画像かを識別するための識別情報も送信する。これにより、損害保険ＰＣ側で表示する画像が縮小画像がオリジナル画像かを識別可能に表示することが可能となる。
【０１１１】
また、所定サイズより大きい画像（オリジナル画像）を取得した場合には、第１のサーバから削除することで、データの増大を防ぐことが可能となる。
【０１１２】
次に、図９では損害保険ＰＣでの事故データ参照処理および画像参照処理について説明する。つまり、ステップＳ８０９の後に続く処理である。なお、ステップＳ８１１の後に表示される処理として、ステップＳ１１２１やステップＳ１１２２にも適用可能である。
【０１１３】
ユーザ操作により事故データ参照指示がされた場合に、ステップＳ９０１では、画像サーバのデータベースから事故情報（図１８）、画像情報（図１９  サムネイル画像、各画像の縮小有無）、添付ファイル情報（図２０）を取得し、ステップＳ９０２では、損害保険ＰＣに事故データ参照画面（図２２）を表示する。縮小有無が有の画像のサムネイル画像には縮小されていることを示す縮小マーク（２２０１）を表示する。縮小マークの付いているサムネイル画像が選択されている場合にはオリジナル画像再送依頼を可能とする。
【０１１４】
ステップＳ９０３では、ユーザ操作により画像表示指示がされた場合に、選択された画像の縮小有無をステップＳ９０４で判別し、縮小有の場合にはステップＳ９０５でデータベースから縮小画像を取得し、縮小無の場合にはステップＳ９０６でデータベースからオリジナル画像を取得する。
【０１１５】
ステップＳ９０７で縮小画像またはオリジナル画像を画像表示画面（図２３または図２４）に表示する。画像表示画面に縮小画像が表示されている場合にはオリジナル画像再送依頼を可能とする。
【０１１６】
次に、図１０ではデータストレージサーバに格納されている画像情報削除処理について説明する。
【０１１７】
ステップＳ１００１でデータストレージサーバが事案クローズ情報取得依頼を送信する。この依頼を損害保険会社の画像サーバがステップＳ１００２で受信する。
【０１１８】
ステップＳ１００３で画像サーバが事故完了情報（事故が完了した事故番号群）を送信する。事故完了情報はデータストレージサーバがステップＳ１００４で受信する。
【０１１９】
ステップＳ１００５〜ステップＳ１００８は、ステップＳ１００４で取得した事故完了情報分繰り返し処理を行う。
【０１２０】
ステップＳ１００５でデータストレージサーバはデータベースから事故完了情報の事故番号に合致する画像伝送依頼情報（画像伝送依頼ＩＤ）を取得する。
【０１２１】
ステップＳ１００６ではステップＳ１００５で画像伝送依頼情報が取得できたかを判別し、取得失敗時は次の事故完了情報に対するステップＳ１００５〜ステップＳ１００８の処理を行う。
【０１２２】
取得成功時はステップＳ１００７で、ステップＳ１００５で取得した画像伝送依頼情報（画像伝送依頼ＩＤ）に合致するオリジナル画像情報をデータベースから全て削除する。
【０１２３】
ステップＳ１００８で、ステップＳ１００５で取得した画像伝送依頼情報をデータベースから削除する。
【０１２４】
以下、図１２〜図１７はデータストレージサーバ  データベース（１０６）のテーブル構成図である。
【０１２５】
図１２は、本実施形態の画像管理システムにおけるオリジナル画像情報テーブルの一例を示すテーブル構成図である。
【０１２６】
図１２に示すように、オリジナル画像情報テーブルは、画像識別ＩＤ、オリジナル画像データ、画像伝送依頼ＩＤ等の情報から構成される。オリジナル画像情報は、画像を縮小した場合の元画像をオリジナル画像情報として格納する。
【０１２７】
図１３は、本実施形態の画像管理システムにおける画像伝送依頼情報テーブルの一例を示すテーブル構成図である。
【０１２８】
図１３に示すように、画像伝送依頼情報テーブルは、画像伝送依頼情報が格納されたテーブルであり、画像伝送依頼ＩＤ、工場ＩＤ、事故番号、依頼日時、損害保険ＩＤ等の情報から構成される。
【０１２９】
図１４は、本実施形態の画像管理システムにおける指定縮小サイズ情報テーブルの一例を示すテーブル構成図である。
【０１３０】
図１４に示すように、指定縮小サイズ情報テーブルは、損害保険ＩＤ、サイズ情報（横、縦）等の情報から構成される。指定縮小サイズ情報は損害保険各社ごとに指定可能とする。
【０１３１】
図１５は、本実施形態の画像管理システムにおける損害保険情報テーブルの一例を示すテーブル構成図である。
【０１３２】
図１５に示すように、損害保険情報テーブルは、損害保険ＩＤ、損害保険名等の情報から構成される。
【０１３３】
図１６は、本実施形態の画像管理システムにおける工場情報テーブルの一例を示すテーブル構成図である。
【０１３４】
図１６に示すように、工場情報テーブルは、工場ＩＤ、工場名等の情報から構成される。
【０１３５】
図１７は、本実施形態の画像管理システムにおける文書情報テーブルの一例を示すテーブル構成図である。
【０１３６】
図１７に示すように、文書情報テーブルは、文書ＩＤ、文書名、登録日時、更新日時、工場ＩＤ、文書データ等の情報から構成される。
【０１３７】
以下、図１８〜図２０は画像サーバ  データベース（１０１）のテーブル構成図である。
【０１３８】
図１８は、本実施形態の画像管理システムにおける事故情報テーブルの一例を示すテーブル構成図である。
【０１３９】
図１８に示すように、事故情報テーブルは、案件ＩＤ、事故番号、登録番号等の情報から構成される。
【０１４０】
図１９は、本実施形態の画像管理システムにおける画像情報テーブルの一例を示すテーブル構成図である。
【０１４１】
図１９に示すように、画像情報テーブルは、画像ＩＤ、オリジナル画像データ、サムネイル画像データ、案件ＩＤ、画像識別ＩＤ、縮小有無等の情報から構成される。オリジナル画像データには、縮小画像またはオリジナル画像のどちらかが格納され、縮小画像が格納された場合には縮小有無は「有」、オリジナル画像が格納された場合には縮小有無は「無」となる。
【０１４２】
図２０は、本実施形態の画像管理システムにおける添付ファイル情報テーブルの一例を示すテーブル構成図である。
【０１４３】
図２０に示すように、添付ファイル情報テーブルは、添付ファイルＩＤ、添付ファイルデータ、案件ＩＤ等の情報から構成される。
【０１４４】
以上、本実施形態を説明したが、本実施形態によれば、所定サイズよりオリジナル画像は第１のサーバに蓄積しつつ、オリジナル画像から所定サイズより小さい縮小画像を生成して、第２のサーバに画像を送信することで、レスポンスを向上させると共に、審査時にオリジナル画像の参照が必要な場合には、縮小画像に対応するオリジナル画像を取得することができる。
【０１４５】
また、所定サイズより大きい画像（オリジナル画像）を取得した場合には、第１のサーバから削除することで、データの増大を防ぐことができる。
【０１４６】
なお、上述した各種データの構成及びその内容はこれに限定されるものではなく、用途や目的に応じて、様々な構成や内容で構成されることは言うまでもない。
【０１４７】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【０１４８】
また、本発明におけるプログラムは、図４〜図１１、図２７に示すフローチャートの処理方法をコンピュータが実行可能なプログラムであり、本発明の記憶媒体は図４〜図１１の処理方法をコンピュータが実行可能なプログラムが記憶されている。なお、本発明におけるプログラムは図４〜図１１、図２７の各装置の処理方法ごとのプログラムであってもよい。
【０１４９】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【０１５０】
この場合、記録媒体から読み出されたプログラム自体が本発明の新規な機能を実現することになり、そのプログラムを記憶した記録媒体は本発明を構成することになる。
【０１５１】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【０１５２】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１５３】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１５４】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１５５】
さらに、本発明を達成するためのプログラムをネットワーク上のサーバ、データベース等から通信プログラムによりダウンロードして読み出すことによって、そのシステムあるいは装置が、本発明の効果を享受することが可能となる。
【０１５６】
なお、上述した各実施形態およびその変形例を組み合わせた構成も全て本発明に含まれるものである。
【符号の説明】
【０１５７】
１００  画像サーバ
１０１  データベース
１０２  損害保険ＰＣ
１０３  ローカルエリアネットワーク
１０４  外部ネットワーク
１０５  データストレージサーバ
１０６  データベース
１０７  修理工場ＰＣ
３０１  申請情報入力部
３０２  第１の送信部
３０３  第１の受信部
３０４  サイズ判定部
３０５  生成部
３０６  第２の送信部
３０７  第２の受信部
３０８  第３の送信部
３０９  オリジナル画像取得部
３１０  第４の送信部
３１１  第３の受信部
３１２  表示部
３１３  取得要求送信部
【図１】
2013109412.tif 000003
【図２】
2013109412.tif 000004
【図３】
2013109412.tif 000005
【図４】
2013109412.tif 000006
【図５】
2013109412.tif 000007
【図６】
2013109412.tif 000008
【図７】
2013109412.tif 000009
【図８】
2013109412.tif 000010
【図９】
2013109412.tif 000011
【図１０】
2013109412.tif 000012
【図１１】
2013109412.tif 000013
【図１２】
2013109412.tif 000014
【図１３】
2013109412.tif 000015
【図１４】
2013109412.tif 000016
【図１５】
2013109412.tif 000017
【図１６】
2013109412.tif 000018
【図１７】
2013109412.tif 000019
【図１８】
2013109412.tif 000020
【図１９】
2013109412.tif 000021
【図２０】
2013109412.tif 000022
【図２１】
2013109412.tif 000023
【図２２】
2013109412.tif 000024
【図２３】
2013109412.tif 000025
【図２４】
2013109412.tif 000026
【図２５】
2013109412.tif 000027
【図２６】
2013109412.tif 000028
【図２７】
2013109412.tif 000029